(57)【要約】【課題】Ｖｃｏｍ調整の作業効率化を図ることができる液晶表示装置、Ｖｃｏｍ調整装置及び方法を提供すること。【解決手段】Ｖｃｏｍ調整回路３０３は駆動回路１０３の外側に設けられているが、同図の場合、右端から２本目の信号線を除く全ての信号線が切断されている。本発明では、各信号線上に回路素子を追加したり各信号線を切断等することにより、パネルＩＤを記憶する。【選択図】　　　図３
2004029571.tif 000002
【特許請求の範囲】
【請求項１】
液晶パネルの共通電極に印加する共通電極電位を調整し、液晶駆動電圧の交流化バランスを最適化するための調整回路を備えた液晶表示装置であって、前記調整回路に調整値を記憶するための記憶手段を具備したことを特徴とする液晶表示装置。
【請求項２】
請求項１に記載の液晶表示装置において、
前記記憶手段が、所定数の信号線と回路素子とで構成されることを特徴とする液晶表示装置。
【請求項３】
液晶パネルの共通電極に印加する共通電極電位を調整し、液晶駆動電圧の交流化バランスを最適化するためのＶｃｏｍ調整装置であって、
液晶表示装置に備えられた調整回路からパネルＩＤを読み出す手段と、
前記パネルＩＤからＶＣＯＭＨとＶＣＯＭＬとをもとめる手段と
を具備したことを特徴とするＶｃｏｍ調整装置。
【請求項４】
液晶パネルの共通電極に印加する共通電極電位を調整し、液晶駆動電圧の交流化バランスを最適化するためのＶｃｏｍ調整方法であって、
ＶＣＯＭＨとＶＣＯＭＬとを計測する段階と、
前記ＶＣＯＭＨ及び前記ＶＣＯＭＬと、各基準値との差分をもとめる段階と、
前記差分からパネルＩＤを決定する段階と、
前記パネルＩＤに基づいて作成した調整回路を液晶表示装置に備える段階と、
前記液晶表示装置に備えられた調整回路からパネルＩＤを読み出す段階と、
前記パネルＩＤからＶＣＯＭＨとＶＣＯＭＬとをもとめる段階と
を具備したことを特徴とするＶｃｏｍ調整方法。
【発明の詳細な説明】
【０００１】
【発明の属する技術分野】
本発明は、移動通信端末等に使用する液晶表示装置、及びそのＶｃｏｍ調整装置及び方法に関する。
【０００２】
【従来の技術】
図４は、従来の液晶パネルの画素構成を示す図である。図４において、４０７ａ及び４０７ｂは走査側駆動回路（図１の１０３）に接続された走査信号配線、４０８ａ〜ｃは信号側駆動回路（図１の１０２）に接続された表示信号配線、４０９ａ及び４０９ｂは走査信号配線４０７ａ及び４０７ｂと表示信号配線４０８ａ〜ｃの交点に配置されたＴＦＴなどのスイッチング素子、４１０ａ及び４１０ｂはスイッチング素子４０９ａ及び４０９ｂに接続された画素電極である。
【０００３】
図５は、従来の液晶パネルの画素を示す断面構造図である。図５において、５０７は画素電極４１０ａ，４１０ｂが画素ごとに形成されたガラス製の基板（以下、アレイ基板と称す）で、このアレイ基板５０７上に走査信号配線４０７ａ及び４０７ｂ、表示信号配線４０８ａ〜ｃ、スイッチング素子４０９ａ及び４０９ｂも形成されている。５０１はアレイ基板５０７に対向配置されたガラス製の基板（以下、共通電極基板と称す）、５０３は共通電極基板５０１の全面に形成された対向電極、５０５はアレイ基板５０７及び共通電極基板５０１によって挟持され、封止された液晶である。
図６の波形図は駆動波形６０１と共通電極電位６０７との関係を示したものである。図６において、６０１はＴＦＴ液晶パネル駆動波形の一部、ＶＣＯＭＨ、ＶＣＯＭＬはそれぞれ共通電極電位６０７の上限値と下限値とを示す。
【０００４】
このように構成された液晶ディスプレイにおいては、一般に画面の焼付き等を防ぐために、表示信号はフレーム周期ごとに極性を反転させている。よって、図６の場合、液晶に印加される電圧は正極性時で６０３、負極性時で６０５となる。しかし、この電圧値が正極性時（６０３）と負極性時（６０５）とで異なる場合、フリッカと呼ばれるチラツキが発生する。
【０００５】
このフリッカを軽減するためには、共通電極電位（以下、Ｖｃｏｍと称す）のレベルを調整し、正極性時と負極性時の液晶への印加電圧が等しくなるようにする必要がある。具体的には、画面にフリッカが視認されやすい画像を表示させ、液晶ディスプレイに設けられたＶｃｏｍのレベル調整を行い、目視によりフリッカの度合いが最小になるように設定する。
【０００６】
この場合、液晶ディスプレイおよび駆動用ＩＣの出力には個体差があるため、Ｖｃｏｍを各々個別のモジュールに対して調整する必要がある。上記のようにしてもとめたＶｃｏｍ調整値は、液晶ディスプテイを本体に組み込んだ際、本体のメモリに記憶していたため、液晶ディスプテイモジュール単体として調整することができなかった。
【０００７】
また、上記のように組み込み時にＶｃｏｍ調整をするためには、作業設備や人的資源が必要なため携帯電話機メーカーにとって負担が大きかった。
その対処策として、液晶ディスプレイモジュール内に可変抵抗やヒューズを組み込み、Ｖｃｏｍ調整をする方法や、液晶ディスプレイモジュールにメモリを設置してＶｃｏｍの適正値を記憶させる方法があったが、生産コストが高くなるという欠点があった。
【０００８】
【発明が解決しようとする課題】
本発明は以上の点を考慮してなされたもので、Ｖｃｏｍ調整の作業効率化を図ることのできる液晶表示装置を提供することを目的とする。
また、本発明は、Ｖｃｏｍ調整の低コスト化を図ることのできる液晶表示装置を提供することを目的とする。
【０００９】
【課題を解決するための手段】
上記課題を解決するため、本発明の液晶表示装置は、液晶パネルの共通電極に印加する共通電極電位を調整し、液晶駆動電圧の交流化バランスを最適化するための調整回路を備え、その調整回路に調整値を記憶するための記憶手段を具備したことを特徴とする。
上記調整回路は所定数の信号線と回路素子とで構成されることが好ましい。
【００１０】
本発明のＶｃｏｍ調整装置は、液晶パネルの共通電極に印加する共通電極電位を調整し、液晶駆動電圧の交流化バランスを最適化する装置であって、液晶表示装置に備えられた調整回路からパネルＩＤを読み出す手段と、パネルＩＤからＶＣＯＭＨとＶＣＯＭＬとをもとめる手段とを具備したことを特徴とする。
本発明のＶｃｏｍ調整方法は、液晶パネルの共通電極に印加する共通電極電位を調整し、液晶駆動電圧の交流化バランスを最適化する方法であって、ＶＣＯＭＨとＶＣＯＭＬとを計測する段階と、ＶＣＯＭＨ及びＶＣＯＭＬと、各基準値との差分をもとめる段階と、差分からパネルＩＤを決定する段階と、パネルＩＤに基づいて作成した調整回路を液晶表示装置に備える段階と、液晶表示装置に備えられた調整回路からパネルＩＤを読み出す段階と、パネルＩＤからＶＣＯＭＨとＶＣＯＭＬとをもとめる段階とを具備したことを特徴とする。
【００１１】
【発明の実施の形態】
次に、図１〜９を参照して本発明の実施の形態を詳細に説明する。ここで、図１は本発明の実施の形態を説明するためのブロック図、図２及び図３は本発明の実施の形態を説明するＶｃｏｍ調整回路の拡大図、図７はＶｃｏｍ参照テーブルを表した図、図８はＶｃｏｍ調整ソフトウェアの動作フローチャート、図９は本発明の実施の形態である液晶ディスプレイの回路図である。
【００１２】
（１）液晶ディスプレイの全体構成の説明
図１は、本発明の実施の形態である液晶ディスプレイを示すブロック図である。同図において、１０１は２枚のガラス基板に液晶が挟持された液晶パネル、１０２は液晶パネル１０１を駆動する信号側駆動ＩＣ、１０３は液晶パネル１０１を駆動する走査側駆動ＩＣ、１０４は信号側駆動ＩＣ１０２及び走査側駆動ＩＣ１０３に制御信号を供給する制御回路である。１０５は制御回路１０４によって供給される走査信号、１０６は制御回路１０４によって供給される表示信号である。
図９は、本発明の実施の形態である液晶ディスプレイの回路図である。液晶パネル１０１は駆動回路１０３（ここでは、図１の走査側駆動ＩＣ１０３とするが、信号側駆動ＩＣ１０２でも可）と信号線で接続されており、駆動回路１０３の外側にはＶｃｏｍ調整回路９０３が設けられている。
【００１３】
（２）Ｖｃｏｍ調整回路の説明
図２及び図３は本発明の実施の形態であるＶｃｏｍ調整回路の拡大図である。図２を参照すると、４本の信号線で構成されるＶｃｏｍ調整回路２０３は駆動回路１０３（ここでは、図１の走査側駆動ＩＣ１０３とするが、信号側駆動ＩＣ１０２でも可）の外側に設けられており、右端から２本目の信号線上に抵抗２０１が追加されている。一方、図３を参照すると、Ｖｃｏｍ調整回路３０３は図２と同様に駆動回路１０３の外側に設けられているが、同図の場合、右端から２本目の信号線を除く全ての信号線が切断されている。切断方法としては、レーザー等による方法がある。
【００１４】
本発明の実施の形態では、液晶ディスプレイ生産業者が生産ライン上でＶＣＯＭＨとＶＣＯＭＬとの計測を行い、計測結果とそれぞれの基準値との差分に基づいてパネルＩＤをもとめる。そして、このパネルＩＤを、図２及び図３のようにして、各信号線上に回路素子を追加したり各信号線を切断等することにより記憶する。
例えば、パネルＩＤの各桁を各信号線と対応付け、切断されてる信号線に対応するパネルＩＤの桁は０、回路素子が追加されている信号線に対応するパネルＩＤの桁は１等と定義しておく。
【００１５】
（３）Ｖｃｏｍ参照テーブルの説明
図７は、本発明の実施の形態であるＶｃｏｍ参照テーブルの一例を示した図である。同テーブルの１列目はパネルＩＤフィールド、２列目はΔＶＣＯＭＨフィールド、３列目はΔＶＣＯＭＬフィールドである。
パネルＩＤフィールドには、Ｖｃｏｍ調整回路（図２の２０３，図３の３０３）から読取ることのできるパネルＩＤが格納されている。
ΔＶＣＯＭＨフィールドには、調整対象となっている液晶ディスプレイのＶｃｏｍの上限値と、Ｖｃｏｍの基準上限値との差分が格納されている。
【００１６】
したがって、ＶＣＯＭＨをもとめる計算式としては、以下の２式が考えられる。
なお、本実施の形態では式１を採用するものとする。
式１）ＶＣＯＭＨ＝基準上限値＋ΔＶＣＯＭＨ
式２）ＶＣＯＭＨ＝基準上限値−ΔＶＣＯＭＨ
同様に、ΔＶＣＯＭＬフィールドには、調整対象となっている液晶ディスプレイのＶｃｏｍの下限値と、Ｖｃｏｍの基準下限値との差分が格納されている。
したがって、ＶＣＯＭＬをもとめる計算式としては、以下の２式が考えられる。
なお、本実施の形態では式３を採用するものとする。
式３）ＶＣＯＭＬ＝基準下限値−ΔＶＣＯＭＬ
式４）ＶＣＯＭＬ＝基準下限値＋ΔＶＣＯＭＬ
【００１７】
（４）Ｖｃｏｍ調整ソフトウェアの説明
４−１．動作フローチャートの説明
図８は、本発明の実施の形態であるＶｃｏｍ調整ソフトウェアの動作フローチャートである。本発明の実施の形態であるＶｃｏｍ調整装置は、このＶｃｏｍ調整ソフトウェアを内蔵し、液晶ディスプレイ生産業者が液晶ディスプレイに設置したＶｃｏｍ調整回路（図２，図３）からパネルＩＤをもとめ、これに基づいてＶｃｏｍ調整を行うものとする。以下、図８を参照しながら、本フローチャートを説明する。
【００１８】
処理開始後、まず最初に、Ｖｃｏｍ調整回路からパネルＩＤを読み出す（Ｓ８０１）。次に、Ｖｃｏｍ参照テーブルを参照し（Ｓ８０３）、Ｓ８０１で読み出したパネルＩＤに対応するΔＶＣＯＭＨとΔＶＣＯＭＬとを検索する。
検索後、ΔＶＣＯＭＨと、上記式１（ＶＣＯＭＨ＝基準上限値＋ΔＶＣＯＭＨ）とに基づいてＶＣＯＭＨを設定する（Ｓ８０５）。続いて、ΔＶＣＯＭＬと、上記式３（ＶＣＯＭＬ＝基準下限値−ΔＶＣＯＭＬ）とに基づいてＶＣＯＭＬを設定する（Ｓ８０７）。
【００１９】
４−２．具体的な数値を用いた説明
図８のＳ８０５〜８０７の処理について、図７に示したＶｃｏｍ参照テーブルの数値を使用して説明する。なお、ここでは、ΔＶＣＯＭＨフィールド及びΔＶＣＯＭＬフィールドの単位を［ｍＶ］とする。
例えば、パネルＩＤ＝０００２の場合、ΔＶＣＯＭＨ及びΔＶＣＯＭＬはそれぞれ「００５０」となる。よって、ΔＶＣＯＭＨ及びΔＶＣＯＭＬは５０ｍＶとなる。さらに、Ｖｃｏｍの基準上限値＝４５００ｍＶ、基準下限値＝１５００ｍＶと仮定すると、
式１）ＶＣＯＭＨ＝４５００ｍＶ＋ΔＶＣＯＭＨ
式３）ＶＣＯＭＬ＝１５００ｍＶ−ΔＶＣＯＭＬ
となり、ＶＣＯＭＨ＝４５５０ｍＶ、ＶＣＯＭＬ＝１４５０ｍＶとなる。
【００２０】
【発明の効果】
このように、本発明の液晶表示装置、Ｖｃｏｍ調整装置及び方法によれば、Ｖｃｏｍ調整の作業効率化を図ることができる。
また、本発明の液晶表示装置、Ｖｃｏｍ調整装置及び方法によれば、Ｖｃｏｍ調整の低コスト化を図ることができる。
【図面の簡単な説明】
【図１】本発明の実施の形態である液晶ディスプレイのブロック図。
【図２】本発明の第１の実施の形態であるＶｃｏｍ調整回路を表した図。
【図３】本発明の第２の実施の形態であるＶｃｏｍ調整回路を表した図。
【図４】従来の液晶パネルの画素構成を示す図。
【図５】従来の液晶パネルの画素を示す断面構造図。
【図６】駆動波形と共通電極電位との関係を示した波形図。
【図７】パネルＩＤ参照テーブルを表した図。
【図８】本発明の実施の形態である動作フローチャート。
【図９】本発明の実施の形態である液晶ディスプレイの回路図。
【符号の説明】
１０１　　　　　　　液晶パネル
１０２　　　　　　　信号側駆動ＩＣ
１０３　　　　　　　走査側駆動ＩＣ
１０４　　　　　　　制御回路
【図１】
2004029571.tif 000003
【図２】
2004029571.tif 000004
【図３】
2004029571.tif 000005
【図４】
2004029571.tif 000006
【図５】
2004029571.tif 000007
【図６】
2004029571.tif 000008
【図７】
2004029571.tif 000009
【図８】
2004029571.tif 000010
【図９】
2004029571.tif 000011